(57)【要約】【課題】電子部品の取り付けに使用する部品の増加を抑制するとともに、保護カバー付近に電子部品を配置すること。【解決手段】保護カバー４と、前記保護カバーを取り付ける取付部材６と、を備えた電気機器収納用箱であって、前記取付部材には前記保護カバーを取り付ける取付面６２が形成され、前記取付面に電子部品５を取り付けた構成とする。【選択図】図３
2017220499.tif 000002
【特許請求の範囲】
【請求項１】
保護カバーと、前記保護カバーを取り付ける取付部材と、を備えた電気機器収納用箱であって、
前記取付部材には前記保護カバーを取り付ける取付面が形成され、
前記取付面に電子部品を取り付けた電気機器収納用箱。
【請求項２】
前記電子部品は表示部及び／又は操作部を備え、
前記保護カバーには、前記表示部及び／又は操作部を外部から視認可能とする開口部が形成され、
前記表示部及び／又は操作部が前記保護カバーの開口部に臨むように配置された請求項１に記載の電気機器収納用箱。
【請求項３】
前記取付面は、前記取付部材を折り曲げて形成された請求項２に記載の電気機器収納用箱。
【請求項４】
前記取付部材が接続された設置部材と、前記取付面の間に、少なくとも第二の電子部品の一部が配置された請求項１乃至３の何れかに記載の電気機器収納用箱。
【請求項５】
前記取付面の端部から延びる切り欠きにより、配線の通路が形成された請求項１乃至４の何れかに記載の電気機器収納用箱。
【発明の詳細な説明】
【技術分野】
【０００１】
本発明は、電気機器収納用箱に関するものである。
【背景技術】
【０００２】
従来から、電気機器収納用箱に電子部品を収容することは知られている。例えば、特許文献１には、電気機器収納用箱の中にプリント基板を配置した技術が記載されている。
【先行技術文献】
【特許文献】
【０００３】
【特許文献１】特開２００５−１８３８０９号公報
【０００４】
ところで、本発明者は、特許文献１に記載されているような構成において、保護板に隣接して表示部や操作部を備えたプリント基板を配置しようと考えた。そこで、プリント基板を嵩上げするための嵩上げ部材を別途取り付けた。しかし、この方法であると、部品点数が増加する問題や、保護板の内側の設置スペースを圧迫する問題があった。
【発明の概要】
【発明が解決しようとする課題】
【０００５】
本件の発明者は、この点について鋭意検討することにより、解決を試みた。本発明の課題は、電子部品の取り付けに使用する部品の増加を抑制するとともに、保護カバー付近に電子部品を配置することである。
【課題を解決するための手段】
【０００６】
上記課題を解決するため、次のような手段を採用する。第一の手段は、保護カバーと、前記保護カバーを取り付ける取付部材と、を備えた電気機器収納用箱であって、前記取付部材には前記保護カバーを取り付ける取付面が形成され、前記取付面に電子部品を取り付けた電気機器収納用箱である。
【０００７】
第一の手段において、電子部品は表示部及び／又は操作部を備え、前記保護カバーには、前記表示部及び／又は操作部を外部から視認可能とする開口部が形成され、前記表示部及び／又は操作部が前記保護カバーの開口部に臨むように配置された構成とする第二の手段が好ましい。
【０００８】
第二の手段において、取付面が、取付部材を折り曲げて形成された構成とする第三の手段が好ましい。
【０００９】
第一乃至三の何れかの手段において、前記取付部材が接続された設置部材と、前記取付面の間に、少なくとも第二の電子部品の一部が配置された構成とする第四の手段が好ましい。
【００１０】
第一乃至四の何れかの手段において、前記取付面の端部から延びる切り欠きにより、配線の通路が形成された構成とする第五の手段が好ましい。
【発明の効果】
【００１１】
本発明では、電子部品取付用の部材が増加することを抑制しつつ、保護カバー付近に電子部品を配置させることが可能となる。また、保護カバー付近のスペースを有効に利用することができる。
【図面の簡単な説明】
【００１２】
【図１】実施の形態の電気機器収納用箱の斜視図である。
【図２】実施の形態の電子部品ユニットの斜視図である。
【図３】実施の形態の電子部品ユニットの部分断面図である。
【図４】実施の形態の電子部品ユニットから保護カバーを取り外した状態を示した分解斜視図である。
【図５】実施の形態の電子部品ユニットから保護カバーを取り外した後、更にプリント基板を取り外した状態を示した分解斜視図である。
【発明を実施するための形態】
【００１３】
以下に発明を実施するための形態を示す。
図１は実施の形態の電気機器収納用箱１の斜視図である。図２は実施の形態の保護カバー４周りの電子部品ユニット２の斜視図である。図３は実施の形態の保護カバー４周りの電子部品ユニット２の部分断面図である。本実施の形態の電気機器収納用箱１は車両充電装置１０に用いられるものである。この電気機器収納用箱１の内部には電子部品ユニット２が備えられている。電子部品ユニット２は、プリント基板などの電子部品が取り付けられる設置部材３を備えている。この設置部材３には、保護カバー４が取り付けられており、プリント基板や導電部などを保護している。また、電子部品ユニット２には、設置部材３に対する保護カバー４の位置を固定するために使用される取付部材６が取り付けられている。この取付部材６は、平板状の設置部材３に対して直交するように延びるように構成されており、保護カバー４と設置部材３を繋いでいる。このような部材を備えた電子部品ユニット２は、電子部品の一部もしくは全部を、設置部材３と保護カバー４の間に配置することができるように構成されている。
【００１４】
この取付部材６には、電子部品５であるプリント基板が取り付けられている。本実施の形態では、取付部材６には、保護カバー４と略平行に伸びるように取付面６２が形成されており、この取付面６２に対して保護カバー４と電子部品５が取り付けられている。より詳しくは、電子部品５はスペーサ７２を介して取付面６２に取り付けられており、電子部品５は保護カバー４に対して隣接するように配置されている。このため、電子部品５を取り付けるための部材が増加することを抑制しつつ、保護カバー４付近に電子部品５を配置させることが可能となる。また、保護カバー４付近のスペースを有効に利用することが可能となる。
【００１５】
保護カバー４には開口部４２が備えらえており、隣接した電子部品５を操作することができる構成としている。本実施の形態においては、開口部４２に隣接した電子部品５には他の基板の設定を変更することが可能なカウンター状の操作部５２が備えられている。この操作部５２は開口部４２に臨むように配置されており、保護カバー４を外さずに操作部５２を操作することが可能な構成としている。なお、開口部４２が設けられていることにより、操作部５２を外側から視認することも可能となっている。また、操作部５２に隣接して、操作部５２で設定した状態がわかる表示部５３が備えられている。この表示部５３は開口部４２に臨むように配置されており、開口部４２を通じて保護部材の外側から視認可能となっている。
【００１６】
なお、この設置部材３には第二の電子部品７４としてプリント基板が取り付けられている。この第二の電子部品７４は、その一部が設置部材３と取付面６２との間に位置するように配置されている。この第二の電子部品７４はスペーサ７２を介して設置部材３に取り付けられており、設置部材３と平行に配置されている。本実施の形態のように、取付部材６が接続された設置部材３と、取付面６２との間に、第二の電子部品７４の一部が配置された構成であると、取付面６２と設置部材３の間のスペースを第二の電子部品７４の設置のために利用できるため、電子部品を二層状に設置することが可能となる。また、別途、嵩上げ部材を用意する必要がないため、スペースを有効活用することが可能となる。
【００１７】
ここで、保護カバー４の取り付け方などを説明する。図４は、実施の形態の電子部品ユニット２から保護カバー４を取り外した状態を示した分解斜視図である。また、図５は実施の形態の電子部品ユニット２から保護カバー４を取り外した後、更にプリント基板を取り外した状態を示した分解斜視図である。図４に示されていることから理解されるように、保護カバー４は取付部材６に対してネジ止めされている。より詳しくは、取付部材６には、取付面６２を貫通する孔６４を形成しており、この孔６４を利用して保護カバー４をネジ止めする構成である。
【００１８】
また、図５に示されていることから理解されるように、取付部材６に固定される電子部品５はスペーサ７２に対してネジ止めされている。また、電子部品５に接続される配線の通路として利用できるように、取付面６２の端部から延びる切り欠き６６が形成されている。この切り欠き６６は配線を効率的に行えるように電子部品５と対向する位置に設けられている。このように取付面６２の端部から延びる切り欠き６６が形成されているため、配線作業を容易とすることが可能となる。例えば、電子部品５に配線を接続した後に切り欠き６６に配線を挿入し、電子部品５を取付部材６に固定することも可能である。なお、このような切り欠き６６を採用すると、配線が長くなることを抑制することが可能であるとともに、配線の屈曲を抑制することも可能となる。
【００１９】
保護カバー４が取り付けられる取付面６２は、取付部材６を折り曲げることにより形成されている。したがって取付面６２を備えた取付部材６を簡素な構造とすることができる。また、取付部材６の成形を容易に行うことが可能となる。本実施の形態においては、取付部材６の曲げ加工に合わせて保護カバー４に曲げ加工がなされている。この保護カバー４の曲げ加工は、保護カバー４を取付部材６の取付面６２に沿わせるものであるため、単純な曲げ構造とすることが可能である。本実施の形態の保護カバー４の曲げ加工は、保護カバー４の端部を階段状に形成したものであるが、この曲げ加工の部位を設けることで、保護カバー４の強度を高めている。保護カバー４の曲げ加工により取付面６２との間に空間を作り基板５を収納することができる。
【００２０】
以上、一つの実施の形態について説明してきたが、本発明は上記実施の形態に限定されることはなく、各種の態様とすることが可能である。例えば、電子部品はプリント基板に限る必要はない。各種スイッチやランプや表示器などを単独で配置することも可能である。スイッチなどの場合、保護カバーを外さずに電子部品を触って操作できるようにすることも可能である。
【００２１】
操作部及び表示部の双方が保護カバーの開口部に臨む形態でなくても良い。例えば、操作部及び表示部の何れかだけが開口部に臨む形態とすることも可能である。
【００２２】
取付部材が接続された設置部材と、取付面の間に、第二の電子部品の全てが収まるように配置された形態とすることも可能である。
【符号の説明】
【００２３】
１  電気機器収納用箱
４  保護カバー
５  電子部品
６  取付部材
４２  開口部
５２  操作部
５３  表示部
６２  取付面
【図１】
2017220499.tif 000003
【図２】
2017220499.tif 000004
【図３】
2017220499.tif 000005
【図４】
2017220499.tif 000006
【図５】
2017220499.tif 000007